(57)【特許請求の範囲】
【請求項１】
カメラに取り付けられ、撮影者の肩に該カメラを担いで撮影するためのショルダーパッドであって、上記撮影者の肩と接触する上記ショルダーパッドには、上記撮影者の肩の後ろ側に接する部分の、上記ショルダーパッド左右方向の中央部に凹部を設け、左右方向の両端部を軟らかい材質若しくは幅が狭い形状の少なくともいずれか１つで構成したつぶれ代としたことを特徴とするショルダーパッド。
【発明の詳細な説明】
【技術分野】
【０００１】
本発明は、肩乗せ型ハンディカメラ用のショルダーパッドに関する。
【背景技術】
【０００２】
撮影者が肩に担いで撮影を行うため、肩乗せ型ハンディカメラは、肩と接する部分にショルダーパッドと呼ばれる肩当て部材を装着している。一般的なショルダーパッドにはクッション性のある材料（クッション材）が用いられ、さらに肩の上でカメラを安定させるために、肩の形状に応じてフィットするように、凹部が設けられている。
しかしながら、撮影者によって体格が大きく異なり、肩の厚さ等の形状や寸法もさまざまである。このため、ショルダーパッドの凹部の形状を撮影者それぞれの肩の寸法や形状に合わせて実現することが必要であった（特許文献１参照。）。
また、クッション材を極端に柔らかいものにすると、カメラを安定させることが難しくなる。このため、クッション材には、例えば、適度な硬さを有する発泡ポリエチレンを使用している。
【０００３】
【特許文献１】特開２００４−０１５５１０号公報
【発明の開示】
【発明が解決しようとする課題】
【０００４】
上述の特許文献１の発明のショルダーパッドでは、撮影者の体形に合わせて予め複数のショルダーパッドを作成しておき、必要に応じてショルダーパッドを着脱可能とするものである。しかし、複数の形状のショルダーパッドを作成していても、用意する形状の数は、撮影者即ちショルダーパッドを使用する者の数に比べると不足する。従って、以下の問題が常にある。
即ち、従来のショルダーパッドは、撮影者の肩と接する凹部の形状で、特に、標準として合わせた人（撮影者）の体格に比べて、大きな体格の人にとっては小さすぎて窮屈に感じるか、または肩が入らず所定の位置で担げないおそれがある。また小さな体格の人にとっては、大きすぎてカメラを安定させるには体に負担がかかるという問題があった。
【０００５】
特に、ハンディカメラは、一般的に、重心がショルダーパッドの中心よりも前方にある場合がある。従って、ハンディカメラの重量は、レンズ部を支える右腕にかかるので、ショルダーパッドが十分フィットしない場合には、これによって更に負担の増加が顕著となる。
また、振れ等を抑えて、カメラを安定させるためには、ショルダーパッドには適度な硬さが必要であり、体格差を吸収できるほど形状変化する硬さと、カメラの安定性が確保される硬さの両立は困難であった。
本発明の目的は、上記の問題に鑑みて、カメラの安定性を確保しつつ幅広い体格にフィットするショルダーパッドを提供することである。
【課題を解決するための手段】
【０００６】
上記目的を達成するために、本発明のショルダーパッドは、ショルダーパッドの凹部を、撮影者の肩の形状に合わせて部分的に変形する構成としたものである。即ち、ショルダーパッドの凹部のうち、撮影者の肩の後ろ側に接する部分は撮影者の肩の形状に合わせて変形する形状または硬さとし、撮影者の肩の頂上部から前側に接する部分はカメラの安定性を確保できる形状または硬さとしたものである。
【０００７】
更に上記段落０００６の発明のショルダーパッドにおいて、撮影者の肩の後ろ側に接する部分のうち、安定性と快適性に影響しない中央の部分を凹形状とし、その両側の部分を面積の小さなリブ状の凸形状として段差を設けるようにしたものである。
これにより、ショルダーパッドの硬さが均一であっても凸部分は面積が小さいためつぶれやすく、撮影者の肩の形状に合わせて変形するため、幅広い体格の撮影者にフィットすることができる。
また更に、撮影者の肩の後ろ側に接する部分の変形により、撮影者が肩の上である程度カメラを動かすことができるため、取り扱い性も維持できる。
【０００８】
即ち、本発明のショルダーパッドは、カメラに取り付けられ、撮影者の肩に該カメラを担いで撮影するためのショルダーパッドであって、上記撮影者の肩と接触する上記ショルダーパッドの凹部の上記撮影者の肩の後ろ側に接する部分の、上記ショルダーパッド左右方向の中央部に凹部を設け、左右方向の両端部を軟らかい材質若しくは幅が狭い形状の少なくともいずれか１つで構成したつぶれ代としたものである。
また好ましくは、上記ショルダーパッドの上記凹部は、頭部側は厚みが小さく、腕側に近くなるほど厚みが大きくなるような立体形状とすることによって肩の形状に合わせた形状とするものである。
【発明の効果】
【０００９】
本発明によれば、カメラの安定性を確保しつつ幅広い体格にフィットするショルダーパッドを提供することができる。
【発明を実施するための最良の形態】
【００１０】
以下、添付図面を参照しながら本発明の実施形態を詳細に説明する。なお、各図において、共通な機能を有する構成要素には同一の参照番号を付し、できるだけ説明の重複を避けるため、説明を省略する。
図１〜図３は、実施例１を説明するための図である。また、図４は実施例２を説明するための図で、図５は実施例３を説明するための図である。
【実施例１】
【００１１】
まず、図１を参照して、本発明に係るショルダーパッドの概略を説明する。図１は、本発明のショルダーパッドの一実施例を説明するための図である。図１(a) は、撮影者が肩に本発明の一実施例のショルダーパッドを取り付けたカメラを担いだ場合の図（肩乗せ型ハンディカメラを撮影者が肩に担いだ状態を示す側面図）である。図１(b) は、図１(a) のショルダーパッドの拡大図である。１は撮影者、２は肩乗せ型のハンディカメラ、３はハンディカメラ２のレンズ部、４はレンズ部３のグリップ、１００はショルダーパッド、１１０はショルダーパッド１００の凹部、１４０は凹部１１０の一部を構成する他より軟らかい材質若しくはその周辺部より変形し易い形状で構成したクッション部、１２０はクッション部１４０の肩と接触する面、１３０はクッション部１４０が一番つぶれた場合の面である、また、矢印Ｘ１は矢印の先が前方向を表わし、矢印Ｒ１は矢印の方向がハンディカメラが落ちる場合の方向を示している。
なお、本願では、カメラを肩に担ぐ人を撮影者と称しているが、カメラを肩に担ぐ人がいて、脇でそのカメラを操作して撮影するような撮影者が別に存在する場合でも、本願明細書では、カメラを肩に担ぐ人を撮影者と称するものとする。
【００１２】
図１(a) において、撮影者１は、Ｘ１方向を正面前方として、ハンディカメラ２を右肩に担ぎ、レンズ部３に設けられているグリップ４を右手で支持する。ショルダーパッド１００は、ハンディカメラ２の下面、撮影者１の肩と接する部分に取り付けられており、ハンディカメラ２により、撮影者１の肩にかかる力を軽減して肩の痛みを防ぎ、ハンディカメラ２の振れを防ぎ安定させる機能を持つ。
ショルダーパッド１００の材料は、例えば、適度な硬さを持つ発泡ポリエチレンを使用している。
ショルダーパッド１００の撮影者１の肩と接する部分には、肩の形状に合わせた凹部１１０が設けられている。
図(b) は、矢印Ｘ１方向を正面前方としたショルダーパッド１００の拡大図である。図(b) おいて、面１２０は、撮影者１の肩の後ろ側に接する部分である。面１２０は一番小さな体格の人の肩の厚みより少し小さな体格の人の肩の厚みに合わせた曲面、面１３０は一番大きな体格の人の肩の大きさに合わせた曲面である。
【００１３】
図１の実施例によるショルダーパッドにおいて、面１２０と面１３０に挟まれた斜線の部分（クッション部１４０）をショルダーパッド全体の硬さより軟らかくして構成している。従って、撮影者の肩にハンディカメラ２と一体化されたショルダーパッド１００を乗せた時に、面１２０と面１３０に挟まれたクッション部１４０が、先ず肩に当たって変形することにより、幅広い体格にフィットさせることができる。
特に、ハンディカメラ２の重心がショルダーパッド１００より前側にある場合には、ハンディカメラ２が矢印Ｒ１の方向に落ちるようにカメラの重量が肩に加わり、グリップ４を支持する右腕に負担をかける。しかし、肩の後ろ側の面１２０が肩にフィットしてひっかかるため、グリップ４を支持する右腕にかかる負担を軽減することができる。
また、撮影者の肩にあわせて変形するクッション部１４０は、肩の後ろ側に限定した部分である。従って、肩の形状に合わせた凹部１１０の形状全体は変形しないので、ハンディカメラ２の安定性を維持することができる。
従って、クッション部１４０のようなつぶれ代を設けることによって、撮影者毎に異なる体格によらず、常に肩にフィットしたショルダーパッドを提供することができる。
【００１４】
図１の実施例において、更に、変形するクッション部１４０は、矢印Ｘ１と反対方向へ行くほど変形量を大きくする。これによって、撮影者の体格によらず最も重量がかかり、安定性に影響の大きい中央部分はほとんど変形せず、安定性への影響が小さい後ろ部分に行くにしたがって変形量が増えるような構成となる。従って、ショルダーパッド１００のフィット性と安定性とを両立することができる。
また、変形するクッション部１４０即ちつぶれ代の位置や変形し易さ（硬度若しくは弾力の少なくともいずれか１つ）を調節して構成することにより、必ずしも図１(a) のような撮影姿勢を取らない場合でも、撮影者１がハンディカメラ２を矢印Ｒ１の方向や矢印Ｒ１と逆の方向、または前後に、ある程度動かして好みの姿勢をとることもできる。なお、撮影姿勢を取らない場合とは、例えば、ハンディカメラ２を担いだまま撮影者１が休憩する場合等、撮影しないときの姿勢をいう。この場合には、例えば、撮影者１は、ビューファインダ５から眼を外して、レンズを上に向けてバランスを取るような姿勢をとる。また、前後に動かす場合とは、撮影者１が、カメラ２の重心位置変えるために、グリップ４の位置やビューファインダ５の位置を調整する場合である。
【００１５】
図２は、実施例１に係るショルダーパッド１００の斜視図である。図２は、矢印Ｘ１方向を前方向とし、ショルダーパッド１００を下側から見た斜視図である。１２１、１２２はショルダーパッド１００の凹部１１０の肩の後ろ側が接する凸部、１３１はショルダーパッド１００の凹部１１０の肩の後ろ側が接する凸部１２１と１２２の間にある凹部である。
図２の実施例では、撮影者１の肩の形状に合わせた凹部１１０の後ろ側の部分のうち、左右方向の中央の部分に更に部分的な凹部１３１を形成することにより、相対的にその両側の部分は、矢印Ｘ１の前方向に細長いリブ状の凸部１２１（図１では面１２０）と凸部１２２（図１では面１２０）となり、段差（図１ではクッション部１４０）が設けられている。これにより、凸部１２１と凸部１２２は、つぶれ代となり、撮影者の肩に接する面積が小さいためつぶれ易く、撮影者の肩の形状に合わせて容易に変形させることができる。
【００１６】
図２において、凸部１２１と凸部１２２の最外面は、図１(b) の面１２０に相当し、凹部１３１は前記面１３０に相当する。つまり、凹部１３１の造形によって前記クッション部１４０に相当するつぶれ代を設けており、凸部１２１と凸部１２２は、後ろに行くほどつぶれる量が大きく、さらに後ろに行くほど細くして、つぶれやすくなる形状としている。これにより、幅広い体格にフィットするショルダーパッドを実現することができる。
また、凹部１３１は体格の大きな人の肩の形状に合わせてあり、それよりも小さな体格の人の場合、肩の後ろ側へ行くにしたがって接しない（フィットしない）部分が出てくるが、凸部１２１と凸部１２２とがフィットするため、両側が常に支えられてカメラの安定性が確保できる。
図２の実施例に拠れば、凸部１２１と凸部１２２とがつぶれ易い形状であるため、凹部１１０を構成する部材全体を同じ硬さで構成しても良い。従って、凸部１２１と凸部１２２とを、凹部１１０を構成する他の部材より軟らかい材質で構成しても良いが、同じ硬さ若しくは硬い材質で構成しても良い。
なお、肩の形状は、頭部側に近い方が腕側より上がる傾向があるので、頭部側（内側）の凸部１２１の幅を腕側（外側）の凸部１２２の幅より、更に狭くした形状とすることで外側より内側が変形し易くなり、更にフィットし易い構成とすることができる。なお、腕側から頭部側に向かう方向を本願明細書では、左右方向とも言う。
【００１７】
図１〜図２の実施例によれば、カメラの安定性を確保しつつ幅広い体格にフィットするショルダーパッドを提供することができる。
また、凹部１３１は、前後方向には凹部１１０と滑らかにつながる形状とすることで、撮影者の肩に違和感を与えないようにする。
【００１８】
図３は、実施例１に係るショルダーパッド１００の断面図である。５０は部材、５１と５２はネジ穴である。
図３において、ショルダーパッド１００は、内部にアルミニウム等の軽量金属材料で構成された強度のある部材５０を有し、ネジ穴５１とネジ穴５２とを使って、図示しないネジでハンディカメラ２の下面に取り付けることができる。部材５０は、ショルダーパッド１００が破損しないような形状とし、ネジ穴５１とネジ穴５２を矢印Ｘ１の方向に長い穴とすることにより、ショルダーパッド１００のハンディカメラ２に対する矢印Ｘ１の方向の取り付け位置を調整することもできる。
【実施例２】
【００１９】
次に、図４を参照して本発明の実施例２を説明する。図４は、本発明の一実施形態に係るショルダーパッドの斜視図である。図４は、矢印Ｘ１方向を前方向とし、矢印Ｙ１方向を内側（撮影者の頭部側）方向として、ショルダーパッドを下から見た斜視図である。２００はショルダーパッド、２１０はショルダーパッド２００の凹部、２２１、２２２及び２４０は凹部２１０の肩の後ろ側が接する凹部、２３１は凹部２１０の肩の後ろ側が接する凹部２２１と２４０の間にある溝状の切り込み部、２３２は凹部２１０の肩の後ろ側が接する凹部２４０と２２２の間にある溝状の切り込み部である。
【００２０】
図４の実施例では、標準的な体格の撮影者の肩の形状に合わせた凹部２１０の後ろ側の部分のうち、中央の凹部２４０と内側の凹部２２１との間に溝状の切り込み部２３１を長手方向（前後方向）に設けている。また同様に、中央の部分２４０と外側の部分２２２との間に溝状の切り込み部２３２を長手方向に設けている。
また、凹部２１０は、撮影者の肩の後ろ側が接する部分、凹部２２１と凹部２２２及び凹部２４０を、他の凹部２１０より軟らかい材質としている。そして更に、中央の凹部２４０を凹部２２１及び２２２よりも柔らかい材質にしている。
これにより、中央の凹部２４０と内側の凹部２２１と外側の凹部２２２とは、つぶれ代を構成し、それぞれがつぶれ易くなっているため、撮影者の肩の形状に合わせて変形させることができる。このとき、中央の部分２４０を内側の部分２２１と外側の部分２２２より柔らかく設定することで、第１の実施の形態と同じ効果が得られ、カメラの安定性を確保しつつ幅広い体格にフィットするショルダーパッドを提供することができる。
なお、凹部２２１、２２２、及び２４０を軟らかくするには、例えば、発泡ポリエチレンの発泡率を変えることが一般的である。
図４の実施例に拠れば、凹部２２１と凹部２２２とが、凹部２４０より幅が狭く、つぶれ易い形状であるため、凹部１１０を構成する部材を同じ硬さで構成しても良い。従って、凹部２２１と凹部２２２とを、凹部２１０を構成する他の部材より軟らかい材質で構成しても良いが、同じ硬さ若しくは硬い材質で構成しても、切り込み部２３１と２３２により、同様の効果が得られる。
なお、肩の形状は、頭部側に近い方が腕側より上がる傾向があるので、頭部側（内側）の凹部２２１の幅を腕側（外側）の凹部２２２の幅より、更に狭くした形状とすることで外側より内側が変形し易くなり、更にフィットし易い構成とすることができる。
【実施例３】
【００２１】
次に、図５を参照して第３の実施の形態を説明する。図５は、実施例３に係るショルダーパッドの斜視図である。３００はショルダーパッド、３１０はショルダーパッド３００の凹部、３２１と３２２はショルダーパッド３００の長手方向（前後方向）（Ｘ１方向）に細長く形成したリブ状の凸部、３３０は凹部３１０の凸部３２１と３２２とに間の凹部、３４１〜３４７は凹部３３０の面上に設けられた凸部である。凸部３４１〜３４７は、概ねショルダーパッド３００の長手方向と直角の方向に細長い形状で構成する。
【００２２】
図５は、矢印Ｘ１の方向を前方向とし、ショルダーパッド３００を下から見た斜視図である。図５において、ショルダーパッド３００は、長手方向（前後方向）に細長いリブ状の凸部３２１と凸部３２２とを有し、凸部３２１と凸部３２２の間の部分に凹部３３０を有する。更に、凹部３３０上に長手方向と直角方向に細長い形状の凸部３４１と、凸部３４２と、凸部３４３と、凸部３４４と、凸部３４５と、凸部３４６と、凸部３４７とを有する。
図５の実施の形態では、撮影者の肩の形状に合わせた凹部３１０を、リブ形状や凸形状で構成することにより、変形し易くしている。変形させる部分、変形量、変形しやすさは、各凸部の形状を変えることで調節できる。
【００２３】
上記図５の実施の形態では、まず凸部３２１と凸部３２２とを標準的な体格の人の肩の形状に合わせて形成している。また、凸部３２１と凸部３２２は、変形し易いように山形（凸型）のリブ形状のつぶれ代とし、さらに中央から前はあまり変形せず、後ろへ行くほど変形量が大きくなるようにしている。
次に、凸部３４１〜３４７は、標準的な体格の人の肩の形状より少しだけ大きい曲面に合わせて形成している。各凸部は破線で示すようなカマボコ形状とし、凸部３２１と凸部３２２よりは、変形し難くしている。また、凸部３４１〜３４７は、後ろ（撮影者の背中方向）へ行くほど幅を細くし、変形し易くしている。更に、後ろへ行くほど高さを高くし、変形量が大きくなるようにしている。
【００２４】
以上の各凸部の構成により、ショルダーパッド３００の材料が均一な硬さであっても、第１の実施の形態と同じ効果が得られ、カメラの安定性を確保しつつ幅広い体格にフィットするショルダーパッドを提供することができる。
また、それぞれの凸部同志が突起状であるため、面方向の摩擦力が働き、肩とショルダーパッドとのずれを防ぐ効果がある。
また更に、凸部３４１〜３４７は、高さを高くして、ショルダーパッドの他の部分より軟らかい素材にしても良い。
【００２５】
図５の実施の形態では、ショルダーパッドの両サイドを長手方向（前後方向）のリブ形状とし、中央部分を長手方向と直角方向のリブ（凸部）形状としたが、個数や方向はこれに限らず、カメラの安定性に影響しない部分を限定的に変形できる形状であれば、例えば中央部分も長手方向のリブ形状としても良いし、後ろの部分のみに長手方向と直角方向のリブ（若しくは凸部）を設けるようにしても良い。
【実施例４】
【００２６】
図６と、図７〜図１０を参照して、本発明の一実施例に係るショルダーパッドの概略を説明する。図７と図８は、本発明の図１に係るショルダーパッド１００の断面構造を説明する図である。図６は、前述した実施例１に係る説明で用いた図１に、図７若しくは図８で説明する断面の位置を説明するために、再掲し断面を示す一点鎖線を記載した図である。
図６〜図１０において、断面は、肩にかかる中央を「中」、肩の後側を「後」、「中」と「後」の中間部を「中−後」としている。また、図７〜図１０において、「中」、「中−後」、及び「後」それぞれの左側は頭部側、右側は腕側である。
また更に、図７は、部材５０と図示しないネジを使って、カメラとショルダーパッドを固定するためのネジ穴５２を示している（図３参照）が、図８は、図７のネジ穴を省略した図である。７０１−１、７０１−２、７０１−３は頭部側のリブ状凸部を囲む円、また、７０２−１、７０２−２、７０２−３は腕側のリブ状凸部を囲む円である。
また同様に、図９はネジ穴を示した断面図で、図１０は、図９のネジ穴を省略した図である。図９と図１０は、実施例３に係るショルダーパッド３００の断面構造を説明する図である。９０１−１、９０１−２、９０１−３は頭部側のリブ状凸部を囲む円、また、９０２−１、９０２−２、９０２−３は腕側のリブ状凸部を囲む円である。
【００２７】
図７〜図１０において、ショルダーパッドの断面を見ると分かるように、ショルダーパッドは、「中」→「中−後」→「後」に行くほどリブ状凸部の凸量が大きく、また先端の幅が狭くなるようにしている。また、ショルダーパッドの幅（頭部側から腕側の長さ）はほぼ一定で変わらない。
これによって、「中」→「中−後」→「後」に行くほどつぶれる量が大きくなるので、カメラの安定性を確保しながら、幅広い体格の撮影者の肩の形状にフィットさせることができる。
また、ハンディカメラの重心がショルダーパッドより前側にあっても、ショルダパッドの後ろ側の方がつぶれ量が大きくなるのでハンディカメラが前側に傾く力を抑制することができる。
また、リブ状凸部は頭部側の端と腕側の端に設けられている。これによりカメラの両側が支えられ、カメラが回転することを抑制し、安定性をさらに高めている。
また、更に、それぞれの断面部で分かるように、頭部側は厚みが小さく、腕側に近くなるほど厚みが大きくなるような形状としている。
これによって、肩が腕側に近くなるほど下がっていくような体格の撮影者の場合にカメラの視野角が回転することを抑制することができる。
【００２８】
なお、上述の実施例１〜実施例４では、凸部と凹部の数は、腕側から頭部側にかけてそれぞれ、凸部が２なら凹部が１、凹部が２なら凸部が１であった。しかし、凸部と凹部は同じ数であっても良いし、２以上あっても良いことは言うまでもない。また、形状、硬さがそれぞれの凸部若しくは凹部で異なっても良い。
【図面の簡単な説明】
【００２９】
【図１】本発明のショルダーパッドの一実施例を説明するための簡単な図。
【図２】本発明のショルダーパッドの一実施例を説明するための簡単な斜視図。
【図３】本発明のショルダーパッドの一実施例を説明するための簡単な断面図。
【図４】本発明のショルダーパッドの一実施例を説明するための簡単な斜視図。
【図５】本発明のショルダーパッドの一実施例を説明するための簡単な斜視図。
【図６】本発明のショルダーパッドの一実施例を説明するための簡単な図。
【図７】本発明のショルダーパッドの一実施例を説明するための簡単な断面図。
【図８】本発明のショルダーパッドの一実施例を説明するための簡単な断面図。
【図９】本発明のショルダーパッドの一実施例を説明するための簡単な断面図。
【図１０】本発明のショルダーパッドの一実施例を説明するための簡単な断面図。
【符号の説明】
【００３０】
１：撮影者、  ２：ハンディカメラ、  ３：レンズ部、  ４：グリップ、  ５：ビューファインダ、  ５０：部材、  ５１、５２：ネジ穴、  １００：ショルダーパッド、  １１０：凹部、  １２０、１３０：ショルダーパッドの肩の後ろ側の面、１４０：クッション部、  １２１、１２２：ショルダーパッドの肩の後ろ側が接する凸部、  １３１：ショルダーパッドの肩の後ろ側の凹部、  ２００：ショルダーパッド、  ２１０：凹部、  ２２１、２２２、２４０：ショルダーパッドの肩の後ろ側が接する凹部、  ２３１、２３２：切り込み部、  ３００：ショルダーパッド、  ３１０：凹部、  ３２１、３２２：凸部、  ３３０：凹部、  ３４１〜３４７：凸部、  ７０１−１、７０１−２、７０１−２、９０１−１、９０１−２、９０１−３：頭部側リブ部を囲む円、  ７０２−１、７０２−２、７０２−２、９０２−１、９０２−２、９０２−３：腕側リブ部を囲む円。
【図１】
0004954844.tif 000002
【図２】
0004954844.tif 000003
【図３】
0004954844.tif 000004
【図４】
0004954844.tif 000005
【図５】
0004954844.tif 000006
【図６】
0004954844.tif 000007
【図７】
0004954844.tif 000008
【図８】
0004954844.tif 000009
【図９】
0004954844.tif 000010
【図１０】
0004954844.tif 000011